(57)【要約】【課題】アナログ表示とディジタル表示とを行うことができる表示装置において、さらに消費電力を低減することを可能とすることである。【解決手段】表示装置の下ガラス基板３０の中央部には、ほぼ矩形平面形状の表示領域４０が設けられ、その周囲に、アナログ表示のための第１走査線８２と、ディジタル表示のための第２走査線１０２とについて、それぞれの走査線を順次選択するための走査線駆動回路１（８０）と走査線駆動回路２（１００）が配置される。また、データ信号線７２に画像信号を入力するためのデータ線駆動回路７０と、データ線プレチャージ回路３４が配置される。走査線駆動回路１（８０）は、シフトレジスタ回路型式であり、走査線駆動回路２（１００）はデコーダ型式で構成される。表示領域４０の一部について第２走査線１０２のみを配置し、静止画表示専用領域とすることもできる。【選択図】図２
2008096681.tif 000002
【特許請求の範囲】
【請求項１】
基板上の一方向に配置され、アナログ表示のための複数の第１走査線と、
基板上の一方向に配置され、ディジタル表示のための複数の第２走査線と、
前記一方向に交差する方向に配置される複数のデータ信号線と、
前記第１走査線あるいは前記第２走査線に対する所定の走査線選択信号によって選択されるとともに、前記データ信号線からの画像信号が供給され、マトリクス状に前記基板上に配置された表示画素と、
前記第１走査線についての走査線選択信号を出力する回路であって、前記各第１走査線を順次指定するための順次指定パルスを出力するシフトレジスタ回路部を有する第１走査線駆動回路と、
前記第２走査線についての走査線選択信号を出力する回路であって、所望の前記各第２走査線をアクセスするためのデコーダ回路部を有する第２走査線駆動回路と、
を備えることを特徴とする表示装置。
【請求項２】
請求項１に記載の表示装置において、
前記第１走査線の走査線選択信号と、前記第２走査線の走査線選択信号とは、相互に信号振幅が異なることを特徴とする表示装置。
【請求項３】
請求項２に記載の表示装置において、
前記基板上に形成された電源回路部であって、前記第１走査線駆動回路に供給する電源を生成する電源回路部と、
前記基板上に形成され、前記基板上の各要素を制御する制御回路部であって、前記第２走査線駆動回路に電源を供給する制御回路部と、
を備えることを特徴とする表示装置。
【請求項４】
請求項１に記載の表示装置において、
前記基板上に、前記第２走査線駆動回路のみによって駆動される複数の画素が配置されたディジタル表示専用表示領域を備えることを特徴とする表示装置。
【請求項５】
請求項４に記載の表示装置において、
前記ディジタル表示専用表示領域がディジタル表示を行うときは、他の表示領域が表示を行わないことを特徴とする表示装置。
【請求項６】
基板上の一方向に配置された複数の走査線と、
前記一方向に交差する方向に配置される複数のデータ信号線と、
前記走査線に対する所定の走査線選択信号によって選択されるとともに、前記データ信号線からの画像信号が供給され、マトリクス状に前記基板上に配置された表示画素と、
前記走査線についての走査線選択信号を出力する回路であって、前記各走査線を順次指定するための順次指定パルスを出力するシフトレジスタ回路部を有する第１走査線駆動回路と、
前記走査線についての走査線選択信号を出力する回路であって、所望の走査線をアクセスするためのデコーダ回路部を有する第２走査線駆動回路と、
を備えることを特徴とする表示装置。
【発明の詳細な説明】
【技術分野】
【０００１】
本発明は表示装置に係り、特に、走査線に対する所定の走査線選択信号によって選択されるとともに、データ信号線からの画像信号が供給される複数の表示画素がマトリクス状に基板上に配置されるアクティブマトリクス型表示装置に関する。
【背景技術】
【０００２】
例えば、液晶表示素子のように、ガラス基板等の上に複数の走査線と、これに交差する複数のデータ信号線とを配置し、各走査線と各データ信号線の交差箇所にスイッチング回路と表示画素とを配置するアクティブマトリクス型表示装置が広く用いられている。アクティブマトリクス型表示装置において、目的の画像表示等を行わないときは、ダミーの静止画等を表示して、消費電力を低減させることが考えられている。
【０００３】
例えば、特許文献１には、待ち受け時には低消費電力でマルチカラー表示を行い、通話時にはフルカラーによる中間表示や動画表示を行うことができるアクティブマトリクス型液晶表示装置が開示されている。ここでは、第１のスイッチ素子のゲートが走査線に、ソースがデータ信号線に、ドレインが画素電極にそれぞれ接続されており、また画素電極は第２のスイッチ素子を介してディジタルメモリに接続されており、この第２のスイッチ素子は、並列接続された２つのスイッチ素子からなり、それぞれは、ディジタルメモリの出力端子及び反転出力端子にドレインが接続され、画素電極にソースが接続され、２つの制御信号線にゲートが接続されている構成が述べられている。
【０００４】
また、特許文献２には、１つの表示装置でフルカラー動画像表示と、低消費電力の静止画像表示の２つの表示に対応するための構成が開示されている。ここでは、表示画素のゲート信号線とドレイン信号線の交差部近傍に、極性の互いに異なる２つのＴＦＴからなる回路選択回路と、これと対をなすもう１つの回路選択回路が設けられる。また、回路選択回路に隣接し、先ほどの２つのＴＦＴと縦列に接続され、極性の互いに異なる別の２つのＴＦＴからなる画像選択回路が設けられ、これらの両ゲートにはゲート信号線が接続され、走査信号に応じて、両ＴＦＴが同時にオンする。そして、２つの回路選択回路がフルカラー動画像表示を選択するときは、回路選択回路の２つのＴＦＴの一方と補助容量とで、第１の表示回路を構成する。一方、回路選択回路の２つのＴＦＴの他方と液晶の画素電極の間にはスタティックメモリからなる保持回路が接続され、信号選択回路が保持回路からの信号に応じて交流駆動信号（信号Ａ）または対向電極信号（信号Ｂ）を選択して、液晶の画素電極に供給する構成となっている。したがって、２つの回路選択回路が静止画像表示を選択するときは、回路選択回路の２つのＴＦＴの他方と保持回路と信号選択回路とで第２の表示回路を構成することが述べられている。
【０００５】
【特許文献１】特開２００１−２６４８１４号公報
【特許文献２】特開２００２―９１３６６号公報
【発明の開示】
【発明が解決しようとする課題】
【０００６】
上記従来技術によれば、中間階調等のアナログフルカラー表示を行わないときは、ディジタルメモリあるいはスタティックメモリにより２値のディジタル静止画データを保持して静止画像表示をするので、待ち受け時の画像表示に関する消費電力を低減することができる。
【０００７】
しかし、上記従来技術によれば、アナログ表示の場合とディジタル表示の場合と、同じ走査線を用いるので、走査線駆動回路も同じとなり、走査線駆動等に関する消費電力が低減されていない。また、任意の表示領域にディジタル表示を行う場合でも、非表示領域にダミーデータを書き込む等の処理を行うことになり、不便である。
【０００８】
本発明の目的は、アナログ表示とディジタル表示とを行うことができる表示装置において、さらに消費電力を低減することを可能とする表示装置を提供することである。また、他の目的は、アナログ表示とディジタル表示とを行うことができる表示装置において、任意の領域にディジタル表示をすることを可能とする表示装置を提供することである。
【課題を解決するための手段】
【０００９】
本発明に係る表示装置は、基板上の一方向に配置され、アナログ表示のための複数の第１走査線と、基板上の一方向に配置され、ディジタル表示のための複数の第２走査線と、前記一方向に交差する方向に配置される複数のデータ信号線と、前記第１走査線あるいは前記第２走査線に対する所定の走査線選択信号によって選択されるとともに、前記データ信号線からの画像信号が供給され、マトリクス状に前記基板上に配置された表示画素と、前記第１走査線についての走査線選択信号を出力する回路であって、前記各第１走査線を順次指定するための順次指定パルスを出力するシフトレジスタ回路部を有する第１走査線駆動回路と、前記第２走査線についての走査線選択信号を出力する回路であって、所望の前記各第２走査線をアクセスするためのデコーダ回路部を有する第２走査線駆動回路と、を備えることを特徴とする。
【００１０】
また、本発明に係る表示装置において、前記第１走査線の走査線選択信号と、前記第２走査線の走査線選択信号とは、相互に信号振幅が異なることが好ましい。
【００１１】
また、本発明に係る表示装置において、前記基板上に形成された電源回路部であって、前記第１走査線駆動回路に供給する電源を生成する電源回路部と、前記基板上に形成され、前記基板上の各要素を制御する制御回路部であって、前記第２走査線駆動回路に電源を供給する制御回路部と、を備えることが好ましい。
【００１２】
また、本発明に係る表示装置において、前記基板上に、前記第２走査線駆動回路のみによって駆動される複数の画素が配置されたディジタル表示専用表示領域を備えることが好ましい。
【００１３】
また、本発明に係る表示装置において、前記ディジタル表示専用表示領域がディジタル表示を行うときは、他の表示領域が表示を行わないことが好ましい。
【００１４】
また、本発明に係る表示装置は、基板上の一方向に配置された複数の走査線と、前記一方向に交差する方向に配置される複数のデータ信号線と、前記走査線に対する所定の走査線選択信号によって選択されるとともに、前記データ信号線からの画像信号が供給され、マトリクス状に前記基板上に配置された表示画素と、前記走査線についての走査線選択信号を出力する回路であって、前記各走査線を順次指定するための順次指定パルスを出力するシフトレジスタ回路部を有する第１走査線駆動回路と、前記走査線についての走査線選択信号を出力する回路であって、所望の走査線をアクセスするためのデコーダ回路部を有する第２走査線駆動回路と、を備えることを特徴とする。
【発明の効果】
【００１５】
上記構成により、表示装置には、各表示画素に対する走査線が、アナログ表示のための複数の第１走査線と、ディジタル表示のための複数の第２走査線とに分離して設けられる。そして、第１走査線については、各第１走査線を順次指定するための順次指定パルスを出力するシフトレジスタ回路部を有する第１走査線駆動回路が設けられ、第２走査線については、各第２走査線をランダムアクセスするためのデコーダ回路部を有する第２走査線駆動回路が設けられる。これによって、アナログ表示とディジタル表示とを行うことができる表示装置において、任意の領域にディジタル表示をすることが可能になる。
【発明を実施するための最良の形態】
【００１６】
以下に図面を用いて本発明に係る実施の形態につき詳細に説明する。以下では、アクティブマトリクス型表示装置として、ポリシリコンＴＦＴ（Ｔｈｉｎ  Ｆｉｌｍ  Ｔｒａｎｓｉｓｔｏｒ）が配置される基板上にＩＣチップが実装されるＣＯＧ（Ｃｈｉｐ  Ｏｎ  Ｇｌａｓｓ）技術を用い、バックライトにより照明することが可能な液晶表示装置を説明するが、アクティブマトリクス型であって、アナログ表示とディジタル表示とを１つの装置で表示できる表示装置であれば、液晶デバイス以外の表示機構を用いるものであってもよい。例えば、場合によって、ＬＥＤ（Ｌｉｇｈｔ  Ｅｍｉｓｓｉｏｎ  Ｄｉｏｄｅ）アレイ表示装置、プラズマディスプレイ装置等であってもよい。
【００１７】
また、ポリシリコンＴＦＴ以外のスイッチング素子を用いるものでもよく、また、ＣＯＧ技術を用いないものであってもよい。例えば、アモルファスシリコンＴＦＴを用いるものであってもよい。ポリシリコンＴＦＴは、高温ポリシリコンＴＦＴであっても低温ポリシリコンＴＦＴであってもよい。またＴＦＴに代えて、例えばダイオードリング等の非線形スイッチング素子を用いるものとしてもよい。また、ＣＯＧ技術以外の実装技術を用いる構成であってもよい。例えば、ガラス基板とは別の回路基板に、制御ＩＣ等を配置する構成であってもよい。また、バックライトを用いない構成であってもよい。例えば、反射板を有し、外光によって表示を視認できる反射型表示装置であってもよい。
【００１８】
なお、以下における電圧値等は、説明のための例示であって、表示装置の用途等に応じ、適当に変更することができる。
【実施例１】
【００１９】
図１は、表示装置１０の斜視図である。この表示装置１０は、下ガラス基板３０と、上ガラス基板１２と、両ガラス基板の間に液晶１４を封止するシール材１６と、下ガラス基板３０の裏面側に導光素子１８を介して配置されるバックライト２０と、上ガラス基板１２の表面側に配置される偏光素子２２とを含んで構成されるアクティブマトリクス型でバックライトによって照明することができる液晶表示装置である。下ガラス基板３０には、ＣＯＧ技術を用いて制御ＩＣ３２が実装され、ＦＰＣ（Ｆｌｅｘｉｂｌｅ  Ｐｒｉｎｔ  Ｃｉｒｃｕｉｔ）等の適当な可撓性回路基板２４によって、外部回路基板２６と接続される。
【００２０】
上ガラス基板１２は、下ガラス基板３０と共に、液晶１４を挟み込み、液晶１４の両側に所定の駆動電圧を印加することで表示を行わせるためのもので、下ガラス基板３０と対向することから対向基板とも呼ばれる。上ガラス基板１２には、下ガラス基板３０における画素電極に対向して、対向電極である共通電極が設けられ、共通電極電位が印加される。
【００２１】
下ガラス基板３０は、複数の走査線と複数のデータ信号線が格子状に配置され、各格子領域に、表示画素と、スイッチング素子としてのポリシリコンＴＦＴとが配置される透明基板である。ここでは、走査線として２種類の走査線が用いられ、一方の種類の走査線は、通常のアクティブマトリクス型液晶表示装置の走査線と同じである。すなわち、この走査線を用いるときは、スイッチング素子の機能により、走査線によって選択された各表示画素の画素電極には、データ信号線からの画像信号が供給され、上ガラス基板１２に設けられる対向電極との間の電位差に応じて、上ガラス基板１２と下ガラス基板３０との間に封止された液晶分子を駆動して、表示をさせることができる。他方の種類の走査線は、静止画像を表示するためのものである。
【００２２】
このように、２種類の走査線が用いられるが、上記のように、一方の種類の走査線は、通常のアクティブマトリクス型液晶装置の走査線と同じで、中間階調表示や動画表示等をする場合に用いられる。カラー表示装置の場合は、フルカラー表示をするときに用いられる。他方の種類の走査線は、後述する２値を保持できる保持回路を用い、画像表示に関する消費電力を抑制して、静止画像を表示するために用いられるものである。これら２つの表示を区別して、前者をアナログ表示、後者をディジタル表示と呼ぶことができる。アナログ表示とディジタル表示の区別に代えて、ダイナミック表示とスタティック表示、あるいはカラー表示の場合に、フルカラー表示と静止画表示と呼ぶこともできる。以下では、アナログ表示とディジタル表示の呼び方を用い、他の呼び方が適当なときは適宜、その他の呼び方を用いることにする。
【００２３】
また、２種類の走査線を区別するため、アナログ表示に用いる一方の種類の走査線を第１走査線、ディジタル表示に用いる他方の種類の走査線を第２走査線と呼ぶことにする。各表示画素について、アナログ表示とディジタル表示を行うものとするときは、各表示画素について、第１走査線と第２走査線の２本の走査線と、１本のデータ信号線とがそれぞれ配置されることになる。
【００２４】
図２は、下ガラス基板３０上における各要素の配置の様子を示す図である。下ガラス基板３０の中央部には、平面配置においてほぼ矩形形状の表示領域４０が設けられ、その周囲に、第１走査線８２と第２走査線１０２とについて、それぞれの走査線を順次選択するための走査線駆動回路１（８０）と走査線駆動回路２（１００）と、データ信号線７２に各階調に相当する画像信号、すなわちビデオ信号を入力するためのデータ線駆動回路７０と、データ信号線７２にビデオ信号を入力する前に、ビデオ振幅の中間電位を入力するためのデータ線プレチャージ回路３４が配置される。走査線駆動回路１（８０）、走査線駆動回路２（１００）、データ線駆動回路７０、データ線プレチャージ回路３４は、それぞれ制御ＩＣ３２に接続される。
【００２５】
走査線駆動回路１（８０）、走査線駆動回路２（１００）、データ線駆動回路７０、データ線プレチャージ回路３４は、表示領域４０のＴＦＴと同様に、ポリシリコントランジスタ形成技術によって作りこまれたＴＦＴを用いて下ガラス基板３０の上に作りこまれる。すなわち、下ガラス基板３０は、能動素子が作りこまれたＳＯＧ（Ｓｙｓｔｅｍ  Ｏｎ  Ｇｌａｓｓ）基板である。
【００２６】
走査線駆動回路１（８０）と走査線駆動回路２（１００）とは、通常のアクティブマトリクス型液晶表示装置に用いられる走査線駆動回路をそのまま用いることができるが、走査線駆動に関する消費電力を低減するためには、アナログ表示とディジタル表示の区別に適したものを用いることが好ましい。ここでは、アナログ表示に用いられる走査線駆動回路１（８０）を、第１走査線８２を逐次選択する従来型のシフトレジスタを用いた駆動回路とし、ディジタル表示に用いられる走査線駆動回路２（１００）を、第２走査線１０２をランダム的に選択できるデコーダを用いた駆動回路として、図２に示してある。走査線駆動回路１（８０）と走査線駆動回路２（１００）の詳細な内容については、後述する。
【００２７】
データ線駆動回路７０は、通常のアクティブマトリクス型液晶表示装置に用いられるデータ線駆動回路をそのまま用いることができる。詳細なデータ線駆動回路７０の内容については、後述する。
【００２８】
制御ＩＣ３２は、走査線駆動回路１（８０）、走査線駆動回路２（１００）、データ線駆動回路７０、データ線プレチャージ回路３４等の動作を制御する機能を有するＬＳＩ（Ｌａｒｇｅ  Ｓｃａｌｅ  Ｉｎｔｅｇｒａｔｅｄ  ｃｉｒｃｕｉｔ）チップで、下ガラス基板３０上に設けられた配線パターンにＣＯＧ技術によって実装される。この配線パターンは、走査線駆動回路１（８０）、走査線駆動回路２（１００）、データ線駆動回路７０、データ線プレチャージ回路３４等に延びると共に、下ガラス基板３０の端部に延び、そこで、図１で説明したように、可撓性回路基板２４に接続される。
【００２９】
表示領域４０は、複数の表示画素４２がマトリクス状に配置される領域である。そこには、走査線駆動回路１（８０）からの複数の第１走査線８２、走査線駆動回路２（１００）からの複数の第２走査線１０２が下ガラス基板３０の平面配置の一方向に沿って配置され、データ線駆動回路７０からの複数のデータ信号線７２がその一方向に交差する方向、例えばその一方向に直交する方向に沿って配置される。図２の例では、第１走査線８２、第２走査線１０２が紙面の左右方向に沿って配置され、データ信号線７２が紙面の上下方向に沿って配置されている。第１走査線８２、第２走査線１０２は、対を成すように配置され、この対を成す走査線と、データ信号線７２とで、表示領域４０は複数の格子状領域に区分され、各格子状領域に、それぞれ表示画素４２が配置される。ここで、カラー表示装置の場合は、Ｒ，Ｇ，Ｂごとにサブピクセルが用いられるが、以下では、このサブピクセルを表示画素４２として説明する。
【００３０】
図３は、表示画素４２の構成を説明する図である。なお、以下では、図１、図２における符号を用いて説明する。ここでは、代表的に、図２の表示領域４０の紙面における左上隅の１つの画素について示してある。すなわち、複数の表示画素４２を区別するために、第１走査線８２、第２走査線１０２と、データ信号線７２とで区分される格子状の領域の位置を、図２において、紙面上左上を原点として、右方向をＸ方向、下方向をＹ方向として、Ｘ，Ｙで示すと、図３の表示画素４２は、表示領域４０の（１，１）の位置にある。同様に、複数の第１走査線８２、複数の第２走査線１０２、複数のデータ信号線７２をそれぞれ区別するのに、図２の左上を原点として上記のＸ方向、Ｙ方向にそれぞれ沿って番号を増加させるものとすると、図３の表示画素４２に対応する第１走査線８２、第２走査線１０２、データ信号線７２は、それぞれ１番目に当る。図３では、そのことを示すため、第１走査線８２をＧＡＴＥ−１Ａ、第２走査線１０２をＧＡＴＥ−１Ｂ、データ信号線７２をＤＡＴＡ−１として表記してある。
【００３１】
図３において、表示を行うための液晶１４は、液晶容量ＣＬＣ（５４）として示されている。液晶容量ＣＬＣ（５４）は、画素電極配線５５と、対向電極である共通電極信号線６０との間の容量である。ここでは共通電極信号線６０はＳＣとして示されている。
【００３２】
図３における各信号線等について先に説明する。ＶＤＤ（３６）とＶＳＳ（３８）は、制御ＩＣ３２の電源電圧線と接地線である。例えば、ＶＤＤ＝＋５Ｖ、ＶＳＳ＝０Ｖ等に設定される。
【００３３】
共通電極信号線６０は、上記のように、上ガラス基板１２に設けられる対向電極である共通電極に印加される共通電極信号ＳＣを伝える信号線である。共通電極信号ＳＣは、液晶１４の交流駆動のために、矩形波の信号が用いられる。例えば、０Ｖから＋４Ｖの間で変化する矩形波信号を用いることができる。
【００３４】
Ｖｂ（６４）とＶｗ（６６）は、ディジタル表示のときに、液晶１４を交流駆動するために用いられる信号線である。Ｖｗ（６６）は、これが画素電極配線５５に印加されたときに液晶１４がホワイト表示となる電位を伝える信号線で、共通電極信号線６０における共通電極信号と同じ信号を伝達する信号線である。Ｖｂ（６４）は、これが画素電極配線５５に印加されたときに液晶１４がブラック表示となる電位を伝える信号線で、共通電極信号線６０における共通電極信号を反転した信号を伝達する信号線である。
【００３５】
ＭＯＤＥ（６２）とＸＭＯＤＥ（６３）は、表示画素４２について、アナログ表示モードとディジタル表示モードとの間の切換を行うための２つのモード切換信号を伝達する信号線である。２つのモード切換信号を区別して、ＭＯＤＥ（６２）における信号をモード切換第１信号とし、ＸＭＯＤＥ（６３）における信号をモード切換第２信号と呼ぶことができる。ＭＯＤＥ（６２）におけるモード切換第１信号とＸＭＯＤＥ（６３）におけるモード切換第２信号とは、相互に反転した信号で、ＭＯＤＥ（６２）におけるモード切換第１信号がＨレベル、ＸＭＯＤＥ（６３）におけるモード切換第２信号がＬレベルのときに、アナログ表示モードとし、ＭＯＤＥ（６２）におけるモード切換第１信号がＬレベル、ＸＭＯＤＥ（６３）におけるモード切換第２信号がＨレベルのときに、ディジタル表示モードとすることができる。
【００３６】
ＭＯＤＥ（６２）におけるモード切換第１信号と、ＸＭＯＤＥ（６３）におけるモード切換第２信号とは、上記のように極性が逆であるが、さらに振幅が異なり、波形としては相互に非対称的である。それは、ＭＯＤＥ（６２）のＨレベルによって、Ｎチャネルトランジスタ４８をオン・オフさせて、アナログ画像信号を画素電極配線５５に伝達するのに対し、ＸＭＯＤＥ（６３）のＨレベルは、Ｖｂ（６４）またはＶｗ（６６）における２つの電位レベルを単に切り換えるだけである相違から来る。例えば、アナログ表示モードとディジタル表示モードの切換について、ＭＯＤＥ（６２）におけるモード切換第１信号を、Ｈレベル＝＋９Ｖ、Ｌレベル＝０Ｖとし、ＸＭＯＤＥ（６３）におけるモード切換第２信号を、Ｌレベル＝−４Ｖ、Ｈレベル＝＋４Ｖとすることができる。
【００３７】
図３において、表示画素４２を構成する各要素を次に説明する。Ｎチャネルトランジスタ４４は、第１走査線８２の走査線選択信号によって作動する素子である。また、Ｎチャネルトランジスタ４６は、第２走査線１０２の走査線選択信号によって作動する素子である。この２つの素子を区別して、Ｎチャネルトランジスタ４４を第１スイッチ回路、Ｎチャネルトランジスタ４６を第２スイッチ回路と呼ぶことができる。
【００３８】
第１スイッチ回路であるＮチャネルトランジスタ４４と画素電極配線５５との間にもＮチャネルトランジスタ４８が接続される。このＮチャネルトランジスタ４８は、ＭＯＤＥ（６２）におけるモード切換第１信号によって作動する素子で、これを第３スイッチ回路と呼ぶことができる。そして、第１スイッチ回路であるＮチャネルトランジスタ４４と、第３スイッチ回路であるＮチャネルトランジスタ４８とが共にオンのとき、すなわち、第１走査線８２が走査線選択信号によって選択され、また、モード切換第１信号によってアナログ表示モードが選択されるときに、データ信号線７２の画像信号データ、すなわちビデオ信号データは、画素電極配線５５に伝達され、液晶１４に書き込まれることになる。
【００３９】
ここで、表示画素４２について、データ信号線７２から逐次入力される画像信号を表示画素４２の画素電極配線５５に逐次供給するアナログ表示のための回路を、第１表示回路とすれば、狭義では、液晶容量ＣＬＣ５４と、補助容量ＣＳ５２とが、この第１表示回路に相当し、広義では、さらにＮチャネルトランジスタ４４と、Ｎチャネルトランジスタ４８とを含めて第１表示回路と呼ぶことができる。
【００４０】
第２スイッチ回路であるＮチャネルトランジスタ４６の出力側には、２つのインバータをリング状に結線して、静的にデータを保持できる保持回路５６が接続される。保持回路５６は、そこに画像信号データが書き込まれると、これを静的に保持する機能を有する回路で、そのデータの保持にほとんど電力を消費しないスタティックメモリである。
【００４１】
また、保持回路５６を構成する２つのインバータのそれぞれの出力端子の間に設けられる２組の伝送ゲート５８，５９は、保持回路５６が保持した信号に応じて、Ｖｂ（６４）の信号またはＶｗ（６６）の信号を伝送ゲート５０に供給する機能を有する。伝送ゲート５０の先は画素電極配線５５であるので、伝送ゲート５８，５９は、保持回路５６に記憶されたデータに応じて、画素電極配線５５に供給する電位を、Ｖｂ（６４）の信号レベルにするか、Ｖｗ（６６）の信号レベルにするかを選択する画素電極電位選択スイッチの機能を有することになる。
【００４２】
そして、伝送ゲート５０は、ＸＭＯＤＥ（６３）のモード切換第２信号と、ＭＯＤＥ（６２）のモード切換第１信号の反転信号によって作動する回路で、これを第４スイッチ回路と呼ぶことができる。第４スイッチ回路である伝送ゲート５０は、２組の伝送ゲート５８，５９の出力であるＶｂ（６４）の信号またはＶｗ（６６）の信号を、画素電極配線５５に供給する機能を有する。すなわち、ＸＭＯＤＥ（６３）がＨレベルで、ＭＯＤＥ（６２）がＬレベルのとき、保持回路５６が保持した信号に応じて、Ｖｂ（６４）の信号またはＶｗ（６６）の信号を画素電極配線５５に供給する。上記のように、Ｖｗ（６６）の信号は共通電極信号線６０のＳＣと同じ信号であり、Ｖｂ（６４）の信号はＳＣの反転信号であるので、これにより、保持回路５６が保持した信号について、画素電極配線５５と共通電極信号線６０との間の液晶１４を交流駆動することができる。つまり、液晶１４は、保持回路５６が保持した信号に対応する２値の静止画像を表示することができる。
【００４３】
ここで、表示画素４２について、画像信号を保持する保持回路５６を有し、保持回路５６が保持した信号に応じた電圧を画素電極配線５５に供給するディジタル表示のための回路を、第２表示回路と呼ぶことにすれば、狭義では、保持回路５６がこの第２表示回路に相当し、広義では、さらに、Ｎチャネルトランジスタ４６と、保持回路５６と、伝送ゲート５８，５９と、伝送ゲート５０とを含めて第２表示回路と呼ぶことができる。図３において、破線で囲んだ回路部分４３がこの広義の第２表示回路に相当する。なお、表示画素４２のうち、破線で囲んだ回路部分４３を除く回路部分は、上記の広義の第１表示回路に相当することになる。
【００４４】
また、Ｎチャネルトランジスタ４８は、ＭＯＤＥ（６２）におけるモード切換第１信号によって作動し、伝送ゲート５０は、ＸＭＯＤＥ（６３）におけるモード切換第２信号によって作動し、表示画素４２について、アナログ表示モードとディジタル表示モードとを切り換える機能を有するので、これらの回路部分をまとめて、モード切換回路と呼ぶことができる。
【００４５】
このようにして、表示装置１０の各表示画素４２について、第１走査線８２、第２走査線１０２を所定の走査線選択信号によって選択し、データ信号線７２から画像信号を受け取り、モード切換第１信号及びモード切換第２信号によって、アナログ表示モードまたはディジタル表示モードを選択し、第１表示回路または第２表示回路を作動させて、アナログ表示またはディジタル表示を行わせることができる。
【００４６】
再び図２に戻り、走査線駆動回路１（８０）と走査線駆動回路２（１００）について説明する。走査線駆動回路１（８０）と走査線駆動回路２（１００）は、共に、走査線選択信号を生成する機能を有する回路である。具体的に述べれば、走査線駆動回路１（８０）は第１走査線８２のための走査線選択信号を生成し、走査線駆動回路２（１００）は第２走査線１０２のための走査線選択信号を生成する。その意味で、第１走査線の駆動のための走査線駆動回路１（８０）を第１走査線駆動回路、第２走査線の駆動のための走査線駆動回路２（１００）を第２走査線駆動回路と呼ぶことができる。
【００４７】
図２において、走査線駆動回路１（８０）と走査線駆動回路２（１００）は、表示領域４０を挟んで、向かい合う辺の一方と他方にそれぞれ配置されている。もちろん、走査線駆動回路１（８０）と走査線駆動回路２（１００）とを、表示領域４０の一辺に揃えて配置してもよい。また、表示領域４０の任意の２辺の１つに一方を、他の１つに他方を配置するものとしてもよい。
【００４８】
上記のように、アナログ表示に用いられる走査線駆動回路１（８０）は、第１走査線８２を逐次選択する従来型のシフトレジスタを用いた駆動回路の構成を有する。そして、ディジタル表示に用いられる走査線駆動回路２（１００）は、第２走査線１０２をランダム的に選択できるデコーダを用いた駆動回路の構成を有する。
【００４９】
図４は、走査線駆動回路１（８０）の構成を示す図である。走査線駆動回路１（８０）は、スタート信号とクロック信号とからなる逐時信号８６に基づいて、各第１走査線８２を逐時的に選択する信号を生成する回路である。走査線駆動回路１（８０）は、シフトレジスタ回路部９０と、イネーブル回路部８９と、レベルシフト回路部９２と、出力ドライバ回路部９４とを含んで構成される。
【００５０】
シフトレジスタ回路部９０は、逐時的に順次入力される逐時信号８６を順次シフトして、表示画素を走査線単位で指定するための順次指定パルスを出力する機能を有する回路である。シフトレジスタ回路部９０は、例えば、０Ｖから＋５Ｖの電圧で動作するものを用いることができる。
【００５１】
イネーブル回路部８９は、シフトレジスタ回路部９０の後に配置され、イネーブル信号線８７のイネーブル信号のレベルに応じて、各シフトレジスタ回路部９０の出力を、各第１走査線８２のためのレベルシフト回路部９２及び出力ドライバ回路部９４に振り分ける機能を有する。具体的には、図４に示されるように、イネーブル信号線８７が接続されるＮＡＮＤ回路で構成することができる。
【００５２】
レベルシフト回路部９２は、イネーブル回路部８９の後に設けられ、イネーブル回路部８９の出力信号のレベル及び振幅を、走査線選択信号に適したレベル及び振幅に変換する機能を有する回路である。レベルシフト回路部９２は、周知の信号レベルシフト回路技術を用いて構成することができる。出力ドライバ回路部９４は、走査線を駆動するのに十分な電流を供給するためのバッファ回路である。出力ドライバ回路部９４の出力レベルは、表示装置１０の用途によって異なるが、例えば０Ｖから−５Ｖ、あるいは、０Ｖから＋８Ｖまたは＋９Ｖ等とすることができる。
【００５３】
図５は、走査線駆動回路１（８０）の構成を示す図である。このように、走査線駆動回路１（８０）は、１本の第１走査線ごとに、シフトレジスタ回路部（ＳＲ  ＵＮＩＴ）９０と、イネーブル信号によって制御されるイネーブル回路部（ＥＮＢ  ＵＮＩＴ）８９と、レベルシフト回路部（ＬＳ  ＵＮＩＴ）９２と、出力ドライバ回路部（ＢＵＦ  ＵＮＩＴ）９４がそれぞれ１つずつ用いられる。
【００５４】
図６は、走査線駆動回路２（１００）の構成を示す図である。走査線駆動回路２（１００）は、複数のアドレス信号線１０４の各信号に応じて、各第２走査線１０２を選択する信号を生成する回路で、図６に示すように、複数のアドレス線を入力とするＮＡＮＤ回路１０６と、バッファ回路１０８とで構成することができる。ＮＡＮＤ回路１０６の前に、プリデコーダ回路を設けてもよい。このような構成の回路は、デコーダ回路と呼ばれるもので、走査線駆動回路１（８０）が逐時信号を用いて高速動作を必要とするのに比較して、動作速度はあまり高速でなくてもよい。したがって、走査線駆動回路２（１００）の消費電力は、走査線駆動回路１（８０）に比べて低く抑えることができる。
【００５５】
走査線駆動回路１（８０）の走査線選択信号のレベル、すなわち出力ドライバ回路部９４のレベルと、走査線駆動回路２（１００）の走査線選択信号のレベル、すなわちバッファ回路１０８のレベルは、動作速度の相違に合わせ、異なるものとすることができる。例えば、上記のように、出力ドライバ回路部９４のレベルを０Ｖから＋８Ｖとして、バッファ回路１０８のレベルを０Ｖから＋５Ｖとすることができる。これにより、走査線駆動回路２（１００）の消費電力を、走査線駆動回路１（８０）のものより、さらに低減することができる。なお、もちろん、走査線選択信号のレベルを、走査線駆動回路１（８０）と走査線駆動回路２（１００）とで、同じとしてもよい。
【００５６】
再び図２に戻り、データ線駆動回路７０は、上記のように、データ信号線７２に各階調に相当する画像信号、すなわちビデオ信号を入力するための機能を有する回路である。ここでは、通常のアクティブマトリクス型液晶表示装置用のデータ線駆動回路をそのまま用いることができる。
【００５７】
図７は、データ線駆動回路７０の構成を示す図である。データ線駆動回路７０は、複数のデマルチプレクサ７８を主体に構成され、外部から供給されるビデオ信号線７４と、やはり外部から供給されるセレクト信号線７６とが接続される。そして、セレクト信号によって、ビデオ信号をＲ，Ｇ，Ｂの３成分に分け、カラー表示のサブピクセルであるそれぞれの表示画素のデータ信号線７２に出力する機能を有する。
【００５８】
上記構成の表示装置１０の作用を説明する。表示装置１０の通常動作においては、フルカラーのアナログ表示を行う。このときは、制御ＩＣ３２によって、走査線駆動回路１（８０）が作動状態とされ、走査線駆動回路２（１００）が非作動状態とされる。また、制御ＩＣ３２によって、モード切換がアナログ表示モードとされ、ＭＯＤＥ（６２）におけるモード切換第１信号をＨとし、ＸＭＯＤＥ（６３）におけるモード切換第２信号をＬとして、各表示画素４２に供給される。走査線駆動回路１（８０）では、上記のように、各表示画素４２の第１走査線８２を選択するように、走査線選択信号を出力する。これによって、各表示画素４２では、Ｎチャネルトランジスタ４４がオンし、また、モード選択回路がＮチャネルトランジスタ４８をオンして、第１表示回路を作動させ、アナログ表示を実行する。このとき、ディジタル表示側のＮチャネルトランジスタ４６はオフとなり、また、ＸＭＯＤＥ（６３）におけるモード切換第２信号がＬであることから、第２表示回路側は、第１表示回路側から完全に切り離された状態となる。
【００５９】
表示装置１０が待ち受け状態になると、制御ＩＣ３２によって、走査線駆動回路２（１００）が作動状態とされ、走査線駆動回路１（８０）が非作動状態とされる。また、制御ＩＣ３２によって、モード切換がディジタル表示モードとされ、ＭＯＤＥ（６２）におけるモード切換第１信号をＬとし、ＸＭＯＤＥ（６３）におけるモード切換第２信号をＨとして、各表示画素４２に供給される。走査線駆動回路２（１００）では、各表示画素４２の第２走査線１０２を選択するように、走査線選択信号を出力する。これによって、各表示画素４２では、Ｎチャネルトランジスタ４６がオンし、保持回路５６によって、画像信号を２値データとして保持する。そして、また、モード選択回路が伝送ゲート５０を導通状態として、第２表示回路を作動させ、ディジタル表示を実行する。このとき、アナログ回路側のＮチャネルトランジスタ４４がオフし、また、ＭＯＤＥ（６２）におけるモード切換第１信号がＬであることから、第１表示回路側は、第２表示回路側から完全に切り離された状態となる。
【００６０】
これにより、１つの表示装置１０において、アナログ表示モードとディジタル表示モードとを行うことを可能とし、待ち受け時の表示に関する消費電力を低減できる。また、走査線駆動回路２（１００）は、デコーダ回路構成をとるので、第１走査線駆動回路１（８０）に比較して消費電力が少なく、表示装置１０の全体として、走査線駆動に関する消費電力を抑制することができる。また、走査線選択信号の振幅を第１走査線８２と第２走査線１０２とで異なる設定をすることができ、その場合には、走査線駆動に関する消費電力もさらに低減できる。
【実施例２】
【００６１】
上記のように、走査線駆動回路２（１００）は、デコーダ回路型式であり、電圧系は一般的な論理回路のものと共通化することが可能であるのに対し、走査線駆動回路１（８０）は、シフトレジスタ回路部９０、レベルシフト回路部９２、出力ドライバ回路部９４と、電圧系が比較的複雑である。これらの走査線駆動回路１（８０）、走査線駆動回路２（１００）の電源を、外部から供給するものとしてもよいが、下ガラス基板の上に電源回路を搭載することもできる。
【００６２】
図８は、そのような例を示す図で、下ガラス基板１３０には、走査線駆動回路１（８０）に用いられる電源回路１３２が搭載されている。なお、図２と同様の要素には同一の符号を付し、詳細な説明を省略する。電源回路１３２は、ＩＣチップとして、これを下ガラス基板１３０上の配線パターンにＣＯＧ技術で実装してもよく、場合によっては、ポリシリコントランジスタ形成技術を用いて下ガラス基板１３０に直接作りこんでもよい。なお、走査線駆動回路２（１００）に用いられる電源は、制御ＩＣ３２から供給するものとできる。
【実施例３】
【００６３】
上記では、各表示画素ごとに、第１走査線と第２走査線とが１本ずつ対をなして配置されるものとして説明したが、これを、一部の表示画素について対を成さないものとすることもできる。図９、図１０は、一部の表示画素には第２走査線のみが配置されるようにした場合の下ガラス基板１４０の構成を示す図である。この逆に、一部の表示画素に第１走査線のみが配置されるようにすることもできる。なお、以下では、図２、図８と共通の要素には同一の符号を付し、詳細な説明を省略する。
【００６４】
図９に示されるように、下ガラス基板１４０において、表示領域４０を２つの部分にわけ、１つの部分には、各表示画素ごとに、第１走査線８２と第２走査線１０２とが１本ずつ対をなして配置し、もう1つの部分には、表示画素には第２走査線のみが配置される。このようにすることで、前者の部分を、図２以下で説明したように、（フルカラー表示領域＋静止画表示領域）４１とし、後者の部分を、静止画のみを表示できる静止画表示領域１４２とすることができる。これらの領域は、固定領域とすることができる。
【００６５】
図１０は、図２、図８にならって、図９の構成の場合における下ガラス基板１４０上の各要素の配線の様子を示す図である。ここで示されるように、表示領域４０の一部の静止画表示領域１４２においては、走査線駆動回路２からの第２走査線１４４のみによって、走査線選択信号が供給される。
【図面の簡単な説明】
【００６６】
【図１】本発明に係る実施の形態における表示装置の斜視図である。
【図２】本発明に係る実施の形態の下ガラス基板上における各要素の配置の様子を示す図である。
【図３】本発明に係る実施の形態において表示画素の構成を説明する図である。
【図４】本発明に係る実施の形態において走査線駆動回路１の構成を示す図である。
【図５】本発明に係る実施の形態において、各走査線ごとの走査線駆動回路１の構成を示す図である。
【図６】本発明に係る実施の形態において走査線駆動回路２の構成を示す図である。
【図７】本発明に係る実施の形態においてデータ線駆動回路の構成を示す図である。
【図８】他の実施の形態における下ガラス基板上の配置状態を示す図である。
【図９】別の実施の形態における表示領域の区分を説明する図である。
【図１０】図９の例について、下ガラス基板上の配線状態を示す図である。
【符号の説明】
【００６７】
１０  表示装置、１２  上ガラス基板、１４  液晶、１６  シール材、１８  導光素子、２０  バックライト、２２  偏光素子、２４  可撓性回路基板、２６  外部回路基板、３０，１３０，１４０  下ガラス基板、３２  制御ＩＣ、３４  データ線プレチャージ回路、３６  ＶＤＤ、３８  ＶＳＳ、４０  表示領域、４１  （フルカラー表示領域＋静止画表示領域）、４２  表示画素、４３  回路部分、４４，４６，４８  Ｎチャネルトランジスタ、５０，５８，５９  伝送ゲート、５２  保持容量ＣＳ、５４  液晶容量ＣＬＣ、５５  画素電極配線、５６  保持回路、６０  共通電極信号線、６２  ＭＯＤＥ、６３  ＸＭＯＤＥ、６４  Ｖｂ、６６  Ｖｗ、７０  データ線駆動回路、７２  データ信号線、７４  ビデオ信号線、７６  セレクト信号線、７８  デマルチプレクサ、８０  走査線駆動回路１、８２  第１走査線、８６  逐時信号、８７  イネーブル信号線、８９  イネーブル回路部、９０  シフトレジスタ回路部、９２  レベルシフト回路部、９４  出力ドライバ回路部、１００  走査線駆動回路２、１０２，１４４  第２走査線、１０４  アドレス信号線、１０６  ＮＡＮＤ回路、１０８  バッファ回路、１３２  電源回路、１４２  静止画表示領域。
【図１】
2008096681.tif 000003
【図２】
2008096681.tif 000004
【図３】
2008096681.tif 000005
【図４】
2008096681.tif 000006
【図５】
2008096681.tif 000007
【図６】
2008096681.tif 000008
【図７】
2008096681.tif 000009
【図８】
2008096681.tif 000010
【図９】
2008096681.tif 000011
【図１０】
2008096681.tif 000012